(57)【要約】【課題】人体内の水分を過剰に消費することなく、服内環境を冷却することができる服内環境冷却装置を提供する。【解決手段】服内環境冷却装置１は、衣服Ｃの外部に配置され、外部の空気を取り込む空気取込口２と、衣服Ｃと該衣服Ｃを装着した人体Ｈの間の衣服内空間Ｓに配置され、前記空気取込口２から取り込まれた空気を該衣服内空間Ｓに排出する空気排出口３と、前記空気取込口２から前記空気排出口３に向かう空気流を生成する気流発生手段４と、液体Ｌを貯蔵する液体貯蔵部５と、前記液体貯蔵部５に貯蔵された液体Ｌを使って霧を発生させ、前記空気流に霧を供給する霧発生手段６と、を備える。【選択図】図１
2018053416.tif 000002
【特許請求の範囲】
【請求項１】
衣服の外部に配置され、外部の空気を取り込む空気取込口と、
衣服と該衣服を装着した人体の間の衣服内空間に配置され、前記空気取込口から取り込まれた空気を該衣服内空間に排出する空気排出口と、
前記空気取込口から前記空気排出口に向かう空気流を生成する気流発生手段と、
液体を貯蔵する液体貯蔵部と、
前記液体貯蔵部に貯蔵された液体を使って霧を発生させ、前記空気流に霧を供給する霧発生手段と、を備えたことを特徴とする服内環境冷却装置。
【請求項２】
請求項１に記載の服内環境冷却装置であって、
前記霧発生手段は、超音波振動子タイプの霧発生装置であることを特徴とする。
【請求項３】
請求項１又は請求項２に記載の服内環境冷却装置であって、
前記霧発生手段が、前記気流発生手段の下流側に配置されていることを特徴とする服内環境冷却装置。
【請求項４】
請求項１乃至請求項３のいずれかに記載の服内環境冷却装置であって、
前記霧発生手段が、前記空気排出口の近傍に配置されていることを特徴とする。
【請求項５】
請求項１乃至請求項４のいずれかに記載の服内環境冷却装置であって、
前記霧発生手段が、前記空気排出口より人体側に配置されていることを特徴とする。
【請求項６】
請求項１乃至請求項５のいずれかに記載の服内環境冷却装置であって、
前記空気排出口から排出された空気流の方向が人体と平行であることを特徴とする服内環境冷却装置。
【請求項７】
請求項１乃至請求項６のいずれかに記載の服内環境冷却装置であって、
前記霧発生手段の霧発生面の垂線の方向が、前記空気排出口から排出された空気流の方向に対して衣服側に傾斜していることを特徴すること特徴する。
【請求項８】
請求項７に記載の服内環境冷却装置であって、
前記霧発生手段の霧発生面の垂線の方向が、前記空気排出口から排出された空気流の方向に対して衣服側に０°より大きく、３０°以下だけ傾斜していることを特徴すること特徴する。
【請求項９】
請求項１乃至請求項８のいずれかに記載の服内環境冷却装置であって、
前記空気取込口から取り込まれた空気流の方向が、前記空気排出口から排出された空気流の方向に対して０°より大きく、９０°以下だけ傾斜していることを特徴すること特徴する。
【請求項１０】
請求項９に記載の服内環境冷却装置であって、
前記空気取込口から取り込まれた空気流の方向が、前記空気排出口から排出された空気流の方向に対して０°より大きく、４５°以下だけ傾斜していることを特徴すること特徴する。
【請求項１１】
請求項１乃至請求項１０のいずれかに記載の服内環境冷却装置であって、
服内環境冷却装置から前記衣服内空間の奥側に向かって伸びる延伸部と、該延伸部の先端に形成され、前記衣服と当接する服当接部とを備え、前記服当接部が前記衣服と当接することによって前記衣服を人体から離れる方向に広げ、前記衣服と前記人体の間に、前記空気排出口から排出された空気流が通る空間を確保するスペーサをさらに備えることを特徴とする服内環境冷却装置。
【請求項１２】
請求項１１に記載の服内環境冷却装置であって、
前記スペーサが前記空気排出口から前記衣服内空間の奥側に向かって伸縮自在であることを特徴とする服内環境冷却装置。
【請求項１３】
請求項１２に記載の服内環境冷却装置であって、
前記スペーサが前記空気排出口から衣服内空間の奥側にいくにつれて、人体から離れるように形成されていることを特徴とする服内環境冷却装置。
【請求項１４】
請求項１乃至請求項１３のいずれかに記載の服内環境冷却装置であって、
服内環境冷却装置の筐体は、前記空気取込口の部分において人体から離れる方向に突出するように形成されており、該突出している部分の高さが、空気取込口から空気排出口に向かって徐々に低くなっており、かつ、該突出している部分の幅が、空気取込口から空気排出口にに向かって徐々に狭くなっていることを特徴とする服内環境冷却装置。
【請求項１５】
請求項１乃至請求項１４のいずれかに記載の服内環境冷却装置であって、
服内環境冷却装置の筐体の人体側の面に、服内環境冷却装置を衣服のベルトに引っ掛けるための、下方に向けて開口を有するフック状の第１のベルト装着用部材を備えることを特徴とする服内環境冷却装置。
【請求項１６】
請求項１乃至請求項１５のいずれかに記載の服内環境冷却装置であって、
服内環境冷却装置の筐体の側面に、ベルトを通すための環状の第２のベルト装着用部材を備えることを特徴とする服内環境冷却装置。
【請求項１７】
請求項１乃至請求項１６のいずれかに記載の服内環境冷却装置であって、
服内環境冷却装置の筐体の衣服側の面に、下方から衣服を受け止めるための、上方に向かって開口を有するフック状の衣服保持用部材を備えることを特徴とする服内環境冷却装置。
【請求項１８】
請求項１乃至請求項１７のいずれかに記載の服内環境冷却装置であって、
通信端末と通信するための通信手段と、
前記通信手段により入力された制御信号に基づき、前記気流発生手段及び／又は前記霧発生手段の動作を制御する制御手段とを更に備えることを特徴とする服内環境冷却装置。
【請求項１９】
請求項１乃至請求項１８のいずれかに記載の服内環境冷却装置であって、
前記液体貯蔵部に貯蔵された液体が、香水又は薬剤を含むことを特徴とする服内環境冷却装置。
【請求項２０】
気流発生手段により、衣服の外部に配置された空気取込口から外部の空気を取り込み、衣服と該衣服を装着した人体の間の衣服内空間に配置された空気排出口から
該衣服内空間に空気を排出して、前記空気取込口から前記空気排出口に向かう空気流を生成する気流発生ステップと、
霧発生手段により、液体貯蔵部に貯蔵された液体を使って霧を発生させ、前記空気流に霧を供給する霧発生ステップと、
前記衣服内空間で霧を気化させることにより、その気化熱で前記衣服内空間の温度を冷却する冷却ステップとを備えることを特徴とする服内環境冷却方法。
【請求項２１】
請求項２０に記載の服内環境冷却装置であって、
前記液体貯蔵部に貯蔵された液体が消臭剤、芳香剤又は香水を含むことを特徴とする服内環境冷却方法。
【発明の詳細な説明】
【技術分野】
【０００１】  本発明は、衣服の内側の温度を冷却するための服内環境冷却装置に関するものである。
【背景技術】
【０００２】  従来から、衣服の内側の温度を冷却するために、服地部に取り付けられたファンを備える空調衣服が知られている（例えば、特許文献１参照）。【０００３】  しかしながら、従来の空調衣服では、人体の汗を気化させて服内環境を冷却するため、長時間使用した場合、人体内の水分が過剰に消費される虞があった。また、従来の空調衣服では、冷却効果を高めるために、ファンの回転数を上げて風力を大きくする必要があったため、使用時の騒音が大きいという問題や、風力が大きいため、衣服が膨らみ、見た目が悪くなるという問題があった。
【先行技術文献】
【特許文献】
【０００４】
【特許文献１】特開２００６−３０７３５４号公報
【発明の概要】
【発明が解決しようとする課題】
【０００５】  本発明は上記課題を解決するためになされたものであり、人体内の水分を過剰に消費することなく、服内環境を冷却することができる服内環境冷却装置を提供することを目的とする。
【課題を解決するための手段】
【０００６】  上記課題を解決するために、本発明にかかる服内環境冷却装置は、衣服の外部に配置され、外部の空気を取り込む空気取込口と、衣服と該衣服を装着した人体の間の衣服内空間に配置され、前記空気取込口から取り込まれた空気を該衣服内空間に排出する空気排出口と、前記空気取込口から前記空気排出口に向かう空気流を生成する気流発生手段と、液体を貯蔵する液体貯蔵部と、前記液体貯蔵部に貯蔵された液体を使って霧を発生させ、前記空気流に霧を供給する霧発生手段と、を備えたことを特徴とする。【０００７】  霧発生手段で発生した霧は、気流発生手段によって生成された空気流に乗って衣服内空間に運ばれ、霧が気化する際の気化熱によって衣服内空間の温度が冷却される。【０００８】  ここで、前記霧発生手段は、超音波振動子タイプの霧発生装置であることが好ましい。【０００９】  また、前記霧発生手段が、前記気流発生手段の下流側に配置されていることが好ましい。【００１０】  また、前記霧発生手段が、前記空気排出口の近傍に配置されていることが好ましい。【００１１】  また、前記霧発生手段が、前記空気排出口より人体側に配置されていることが好ましい。【００１２】  また、前記空気排出口から排出された空気流の方向が人体と平行であることが好ましい。【００１３】  また、前記霧発生手段の霧発生面の垂線の方向が、前記空気排出口から排出された空気流の方向に対して衣服側に傾斜していることが好ましく、前記霧発生手段の霧発生面の垂線の方向が、前記空気排出口から排出された空気流の方向に対して衣服側に０°より大きく、３０°以下だけ傾斜していることがより好ましい。【００１４】  また、前記空気取込口から取り込まれた空気流の方向が、前記空気排出口から排出された空気流の方向に対して０°より大きく、９０°以下だけ傾斜していることが好ましく、前記空気取込口から取り込まれた空気流の方向が、前記空気排出口から排出された空気流の方向に対して０°より大きく、４５°以下だけ傾斜していることがより好ましい。【００１５】  また、服内環境冷却装置から前記衣服内空間の奥側に向かって伸びる延伸部と、該延伸部の先端に形成され、前記衣服と当接する服当接部とを備え、前記服当接部が前記衣服と当接することによって前記衣服を人体から離れる方向に広げ、前記衣服と前記人体の間に、前記空気排出口から排出された空気流が通る空間を確保するスペーサをさらに備えることが好ましい。【００１６】  また、前記スペーサが前記空気排出口から前記衣服内空間の奥側に向かって伸縮自在であることが好ましい。【００１７】  また、前記スペーサが前記空気排出口から衣服内空間の奥側にいくにつれて、人体から離れるように形成されていることが好ましい。【００１８】  また、服内環境冷却装置の筐体は、前記空気取込口の部分において人体から離れる方向に突出するように形成されており、該突出している部分の高さが、空気取込口から空気排出口に向かって徐々に低くなっており、かつ、該突出している部分の幅が、空気取込口から空気排出口にに向かって徐々に狭くなっていることが好ましい。【００１９】  また、服内環境冷却装置の筐体の人体側の面に、服内環境冷却装置を衣服のベルトに引っ掛けるための、��方に向けて開口を有するフック状の第１のベルト装着用部材を備えることが好ましい。【００２０】  また、服内環境冷却装置の筐体の側面に、ベルトを通すための環状の第２のベルト装着用部材を備えることが好ましい。【００２１】  また、服内環境冷却装置の筐体の衣服側の面に、下方から衣服を受け止めるための、上方に向かって開口を有するフック状の衣服保持用部材を備えることが好ましい。【００２２】  また、通信端末と通信するための通信手段と、前記通信手段により入力された制御信号に基づき、前記気流発生手段及び／又は前記霧発生手段の動作を制御する制御手段とを更に備えることが好ましい。【００２３】  ここで、前記液体貯蔵部に貯蔵された液体は、香水又は薬剤を含むことができる。【００２４】  また、本発明にかかる服内環境冷却方法は、気流発生手段により、衣服の外部に配置された空気取込口から外部の空気を取り込み、衣服と該衣服を装着した人体の間の衣服内空間に配置された空気排出口から該衣服内空間に空気を排出して、前記空気取込口から前記空気排出口に向かう空気流を生成する気流発生ステップと、霧発生手段により、液体貯蔵部に貯蔵された液体を使って霧を発生させ、前記空気流に霧を供給する霧発生ステップと、前記衣服内空間で霧を気化させることにより、その気化熱で前記衣服内空間の温度を冷却する冷却ステップとを備えることを特徴とする。【００２５】  ここで、前記液体貯蔵部に貯蔵された液体は、消臭剤、芳香剤又は香水を含むことができる。
【発明の効果】
【００２６】  本発明の服内環境冷却装置は、人体から出た汗ではなく、霧発生手段で発生したが霧が気化する際の気化熱によって衣服内空間の温度を冷却するので、人体内の水分を過剰に消費することがない。
【図面の簡単な説明】
【００２７】
【図１】本発明にかかる服内環境冷却装置を正面中央で切断した断面斜視図。
【図２】同服内環境冷却装置を側方からみた断面図。
【図３】同服内環境冷却装置の背面図。
【図４】同服内環境冷却装置の上面図。
【図５】同服内環境冷却装置の側面図。
【図６】同服内環境冷却装置の正面図。
【図７】同服内環境冷却装置を正面斜め方向から見た斜視図。
【図８】Ｔシャツを着た状態で同服内環境冷却装置を装着した状態を示す図であり、（ａ）は人体の側方からみた図、（ｂ）は人体の背面からみた図。
【図９】スーツを着た状態で同服内環境冷却装置を装着した状態を示す図。
【発明を実施するための形態】
【００２８】  本願にかかる服内環境冷却装置を図面を参照しつつ説明する。服内環境冷却装置１は、衣服Ｃの外部に配置され、外部の空気を取り込む空気取込口２と、衣服Ｃと該衣服Ｃを装着した人体Ｈの間の衣服内空間Ｓに配置され、空気取込口２から取り込まれた空気を衣服内空間Ｓに排出する空気排出口３と、空気取込口２から空気排出口３に向かう空気流Ｆを生成するファン４（気流発生手段）と、液体Ｌを貯蔵する液体貯蔵部５と、液体貯蔵部５に貯蔵された液体Ｌを使って霧を発生させ、空気流Ｆに霧を供給する超音波振動子６（霧発生手段）と、を備えている。
【００２９】  ユーザが電源スイッチ８４を操作することにより服内環境冷却装置１のオン／オフが切り替えられ、内部に装填された電池ＢＴ又は筐体の側面１２に設置された外部電源入力端子８５（例えば、ＵＳＢ端子など）によりファン４、超音波振動子６、各種センサ及び制御基板９０などに電源が供給される。なお、服内環境冷却装置１の筐体のファン４の近傍の内面などには、ファン４のモータの振動を抑えて静音化する静音部材４１が設置されている。
【００３０】  また、制御基板９０には、スマートフォンＳＰなどの通信端末と通信するための通信手段としてのアンテナ及び送受信回路と、通信手段により入力された制御信号等に基づき、ファン４及び超音波振動子６などの動作を制御する制御手段としてのＭＰＵが設置されている。ユーザは、スマートフォンＳＰにインストールされたアプリを操作することにより、服内環境冷却装置１のファン４及び超音波振動子６などの動作を制御することができる。
【００３１】  本実施形態において服内環境冷却装置１は左右２つの超音波振動子６を備えている。超音波振動子６は、円板状の圧電セラミックスを振動源として、高周波の交流電圧を印加することにより、液体貯蔵部５内の液体Ｌを振動させて霧を発生させる。なお、液体貯蔵部５内には、毛細管現状により超音波振動子６まで水を吸い上げる円柱状の吸水部材５１、液体貯蔵部５内の液体Ｌの量を検知する水量センサ５２が設置されている。
【００３２】  液体貯蔵部５に貯蔵する液体としては水の他、種々の液体を用いることができる。液体は香水又は薬剤を含んでいてもよい。ここで、薬剤には、医薬用の薬剤の他、消臭剤、芳香剤などのような非医薬用の薬剤が含まれる。液体に香水、消臭剤又は芳香剤を含ませることにより、体臭や汗のにおいを抑えることができる。また、液体に医薬用の薬剤を含ませることにより、疾患（例えば、皮膚疾患）の治療、予防及びかゆみ・苦痛の軽減が可能となる。
【００３３】  また、服内環境冷却装置１の筐体の、液体貯蔵部５の上方に位置する箇所には給水口５３が設けられている。この給水口５３を介して液体Ｌを補充する。また、服内環境冷却装置１の筐体の背面１３の上端の中央には、衣服内空間Ｓの温度及び湿度を検出するための温度・湿度センサ９３が設けられている。
【００３４】  超音波振動子６は、ファン４の下流側であって、空気排出口３の近傍に配置されている。ここで、空気排出口３の近傍とは、空気排出口３に隣接する服内環境冷却装置１の部位であって、超音波振動子６によって発生した霧が空気排出口３から排出された空気流によって影響を受け、流される領域をいう。超音波振動子６をファン４の下流側に配置することにより、超音波振動子６で発生した霧が効率的にファン４で生成された空気流Ｆによって衣服内空間Ｓに運ばれる。また、超音波振動子６が空気排出口３の近傍に配置されているので、超音波振動子６を空気取込口２から空気排出口３の経路の途中に配置した場合に比べて、超音波振動子６で発生した霧が水滴となって空気取込口２から空気排出口３の経路内に入り込みにくくなり、水滴によってファン４などが壊れることを防止することができる。
【００３５】  服内環境冷却装置１では超音波振動子６が、空気排出口３より人体側に配置されている。このように、超音波振動子６を空気排出口３より人体側に配置することにより、直接、衣服Ｃにあたる霧の量を少なくすることができ、衣服Ｃが濡れやすくなることを防ぐことができる。
【００３６】  また、服内環境冷却装置１は、空気排出口３から排出された空気流の方向Ｄ１が人体Ｈと平行になるように設計されている。このように、空気流の方向Ｄ１が人体Ｈと平行になるようにすることにより、霧を含んだ空気流を衣服内空間Ｓのより奥側に送り込むことができるようになり、人体Ｈをより広範囲において効率的に冷却することができるようになる。
【００３７】  また、服内環境冷却装置１は、超音波振動子６の霧発生面の垂線の方向Ｄ２が、空気流の方向Ｄ１に対して衣服側に傾斜している。超音波振動子６の霧発生面をこのように配置することにより、直接、人体Ｈにあたる霧の量を少なくすることができる。ここで、霧発生面の垂線の方向Ｄ２が、空気流の方向Ｄ１に対して衣服側に０°より大きく、３０°以下だけ傾斜していることが好ましい。３０°を超えると、衣服Ｃにあたる霧の量が多くなり、衣服Ｃが濡れやすくなる。
【００３８】  また、服内環境冷却装置１は、空気取込口２から取り込まれた空気流の方向Ｄ３が、空気排出口３から排出された空気流の方向Ｄ１に対して０°より大きく、９０°以下だけ傾斜していることが好ましく、方向Ｄ３が方向Ｄ１に対して０°より大きく、４５°以下だけ傾斜していることがより好ましい。方向Ｄ３を方向Ｄ１に対して傾斜させることにより、方向Ｄ３を方向Ｄ１に対して平行になるように配置した場合と比べて、ファン４を設置した部分の厚さを薄くすることができる。なお、方向Ｄ３が方向Ｄ１に対して９０°より大きいと空気取込口２から空気排出口３に向かう空気流の流れが悪くなる。
【００３９】  また、服内環境冷却装置１、空気排出口３近傍から衣服内空間Ｓの奥側に向かって伸びる延伸部７１と、該延伸部７１の先端に形成され、衣服Ｃと当接する服当接部７２とを備え、服当接部７２が衣服Ｃと当接することによって衣服Ｃを人体Ｈから離れる方向に広げ、衣服Ｃと人体Ｈの間に、空気排出口３から排出された空気流が通る空間を確保するスペーサ７をさらに備える。なお、図２及び図７はスペーサ７を伸ばした状態、図１、図３乃至図６はスペーサ７を収納した状態を示している。
【００４０】  より具体的には、延伸部７１は、図１及び図２に示されるように、服内環境冷却装置１の左右の側面１２にそれぞれ１つずつ配置されている。それぞれの延伸部７１はわずかに湾曲した長尺扁平状に形成されており、その中央には溝部７３が形成されている。溝部７３は、服内環境冷却装置１の左右の側面１２に形成された円筒状の側面を有する突起部７４に沿って移動可能となるように、溝部７３に嵌め込まれている。なお、突起部７４の先端は延伸部７１が抜け落ちないように他の部分に比べて直径が大きくなっている。また、延伸部７１の人体側の側面には、ノコギリ刃状の切欠き７５が形成されている。そして、切欠き７５と対向する位置には、服内環境冷却装置１の側面１２から突出するように形成された突起部７６が設けられている。突起部７６は延伸部７１の延伸方向と同じ方向に伸びるように形成されており、切欠き７５と対向する位置には、切欠き７５の形状と対応するようにノコギリ刃状の側面が形成されている。切欠き７５と突起部７６の側面が係合することにより、延伸部７１は切欠き７５の任意の位置で固定することができ、スペーサ７は、空気排出口３から衣服内空間Ｓの奥側に向かって伸縮自在となるようになっている。
【００４１】  延伸部７１の先端は衣服Ｃ側に向かって湾曲しており、服当接部７２は、２つの延伸部７１の先端をつなぐように、服内環境冷却装置１の幅方向に伸びて形成されている。
【００４２】  延伸部７１が人体に向かって凸となるようにわずかに湾曲しているので、スペーサ７を伸ばすと、スペーサ７が空気排出口３から衣服内空間Ｓの奥側にいくにつれて、服当接部７２が人体Ｈから離れるようになっている。このような構造にすることにより、より広い衣服内空間Ｓを確保することが可能となる。
【００４３】  服内環境冷却装置１の筐体は例えば、プラスチックなどにより形成されている。筐体は、空気取込口２の部分において人体Ｈから離れる方向に突出するように形成されており、該突出している部分の高さが、空気取込口２から空気排出口３に向かって徐々に低くなっており、かつ、該突出している部分の幅が、空気取込口２から空気排出口３に向かって徐々に狭くなっている。
【００４４】  このように服内環境冷却装置１の筐体を、空気取込口２の部分において人体Ｈから離れる方向に突出するように形成することにより、空気取込口２への空気の取入れがより容易になる。また、突出している部分の高さが、空気取込口２から空気排出口３に向かって徐々に低くなっており、かつ、該突出している部分の幅が、空気取込口２から空気排出口３に向かって徐々に狭くなっていることにより、図９に示すように、センターベントのあるスーツＣＳを着た状態で服内環境冷却装置１を装着した際、服内環境冷却装置１の筐体の突出している部分にそって、ベントが自然に分かれるので、見た目がよくなる。
【００４５】  また、服内環境冷却装置１は、服内環境冷却装置１の筐体の人体側の面（筐体の背面）１３に、服内環境冷却装置１を衣服Ｃのベルトに引っ掛けるための、下方に向けて開口を有するフック状の第１のベルト装着用部材８１を備えている。
【００４６】また、服内環境冷却装置１は、服内環境冷却装置１の筐体の側面１２に、装着用のベルトＢを通すための環状の第２のベルト装着用部材８２を備えている。なお、第１のベルト装着用部材８１は一般的に用いられている衣服（例えば、ズボン）のベルトに装着されるのに対し、第２のベルト装着用部材８２に用いられるベルトＢは、このような衣服のベルトとは別の専用の服内環境冷却装置装置着用のベルトである（図７参照）。
【００４７】また、服内環境冷却装置１は、服内環境冷却装置１の筐体の衣服側の面（筐体の正面）１１に、下方から衣服Ｃを受け止めるための、上方に向かって開口を有するフック状の衣服保持用部材８３を備えている。衣服保持用部材はＷ字状に形成されている。このように衣服保持用部材をＷ字状に形成することにより、衣服保持用部材の開口を広くとることができる。
【００４８】服内環境冷却装置１による服内環境冷却方法では、ファン４により、衣服Ｃの外部に配置された空気取込口２から外部の空気を取り込み、衣服Ｃと該衣服Ｃを装着した人体の間の衣服内空間Ｓに配置された空気排出口３から該衣服内空間Ｓに空気を排出して、空気取込口２から空気排出口３に向かう空気流を生成する（気流発生ステップ）。
【００４９】  そして、超音波振動子６により、液体貯蔵部５に貯蔵された液体を使って霧を発生させ、空気流に霧を供給する（霧発生ステップ）。
【００５０】  そして、衣服内空間Ｓで霧を気化させることにより、その気化熱で衣服内空間Ｓの温度を冷却する（冷却ステップ）。
【００５１】  服内環境冷却装置１によれば、人体から出た汗ではなく、超音波振動子６で発生したが霧が気化する際の気化熱によって衣服内空間Ｓの温度を冷却するので、人体Ｈ内の水分を過剰に消費することない。
【００５２】  また、霧が気化する際の気化熱によって衣服内空間Ｓの温度を冷却するので、風力を大きくする必要がなく、ファン４の回転数を抑えることができる。このため、冷却中であっても、音が静かで、また、衣服が膨らむことがなく、見た目が悪くならない。
【符号の説明】
【００５３】１    服内環境冷却装置
１１  筐体の正面
１２  服内環境冷却装置の左右の側面
１３  筐体の背面
２    空気取込口
３    空気排出口
４    ファン（気流発生手段）
５    液体貯蔵部
６    超音波振動子（霧発生手段）
７    スペーサ
４１  静音部材
５１  吸水部材
５２  水量センサ
５３  給水口
７１  延伸部
７２  服当接部
８１  第１のベルト装着用部材
８２  第２のベルト装着用部材
８３  衣服保持用部材
８４  電源スイッチ
８５  外部電源入力端子
９０  制御基板
９３  温度・湿度センサ
Ｂ    ベルト
ＢＴ  電池
Ｃ    衣服
Ｆ    空気取込口から空気排出口に向かう空気流
Ｈ    人体
Ｌ    液体
Ｓ    衣服内空間
ＳＰ  スマートフォン
ＳＷ  スイッチ
【図１】
2018053416.tif 000003
【図２】
2018053416.tif 000004
【図３】
2018053416.tif 000005
【図４】
2018053416.tif 000006
【図５】
2018053416.tif 000007
【図６】
2018053416.tif 000008
【図７】
2018053416.tif 000009
【図８】
2018053416.tif 000010
【図９】
2018053416.tif 000011
【手続補正書】
【提出日】平成29年2月27日(2017.2.27)
【手続補正１】
【補正対象書類名】特許請求の範囲
【補正対象項目名】全文
【補正方法】変更
【補正の内容】
【特許請求の範囲】
【請求項１】
衣服の外部に配置され、外部の空気を取り込む空気取込口と、
衣服と該衣服を装着した人体の間の衣服内空間に配置され、前記空気取込口から取り込まれた空気を該衣服内空間に排出する空気排出口と、
前記空気取込口から前記空気排出口に向かう空気流を生成する気流発生手段と、
液体を貯蔵する液体貯蔵部と、
前記液体貯蔵部に貯蔵された液体を使って霧を発生させ、前記空気流に霧を供給する霧発生手段と、を備え、
前記霧発生手段の霧発生面の垂線の方向が、前記空気排出口から排出された空気流の方向に対して衣服側に傾斜していることを特徴する服内環境冷却装置。
【請求項２】
請求項１に記載の服内環境冷却装置であって、
前記霧発生手段は、超音波振動子タイプの霧発生装置であることを特徴とする。
【請求項３】
請求項１又は請求項２に記載の服内環境冷却装置であって、
前記霧発生手段が、前記気流発生手段の下流側に配置されていることを特徴とする服内環境冷却装置。
【請求項４】
請求項１乃至請求項３のいずれかに記載の服内環境冷却装置であって、
前記霧発生手段が、前記空気排出口の近傍に配置されていることを特徴とする。
【請求項５】
請求項１乃至請求項４のいずれかに記載の服内環境冷却装置であって、
前記霧発生手段が、前記空気排出口より人体側に配置されていることを特徴とする。
【請求項６】
請求項１乃至請求項５のいずれかに記載の服内環境冷却装置であって、
前記空気排出口から排出された空気流の方向が人体と平行であることを特徴とする服内環境冷却装置。
【請求項７】
請求項６に記載の服内環境冷却装置であって、
前記霧発生手段の霧発生面の垂線の方向が、前記空気排出口から排出された空気流の方向に対して衣服側に０°より大きく、３０°以下だけ傾斜していることを特徴する服内環境冷却装置。
【請求項８】
請求項１乃至請求項７のいずれかに記載の服内環境冷却装置であって、
前記空気取込口から取り込まれた空気流の方向が、前記空気排出口から排出された空気流の方向に対して０°より大きく、９０°以下だけ傾斜していることを特徴する服内環境冷却装置。
【請求項９】
請求項８に記載の服内環境冷却装置であって、
前記空気取込口から取り込まれた空気流の方向が、前記空気排出口から排出された空気流の方向に対して０°より大きく、４５°以下だけ傾斜していることを特徴する服内環境冷却装置。
【請求項１０】
請求項１乃至請求項９のいずれかに記載の服内環境冷却装置であって、
服内環境冷却装置から前記衣服内空間の奥側に向かって伸びる延伸部と、該延伸部の先端に形成され、前記衣服と当接する服当接部とを備え、前記服当接部が前記衣服と当接することによって前記衣服を人体から離れる方向に広げ、前記衣服と前記人体の間に、前記空気排出口から排出された空気流が通る空間を確保するスペーサをさらに備えることを特徴とする服内環境冷却装置。
【請求項１１】
請求項１０に記載の服内環境冷却装置であって、
前記スペーサが前記空気排出口から前記衣服内空間の奥側に向かって伸縮自在であることを特徴とする服内環境冷却装置。
【請求項１２】
請求項１１に記載の服内環境冷却装置であって、
前記スペーサが前記空気排出口から衣服内空間の奥側にいくにつれて、人体から離れるように形成されていることを特徴とする服内環境冷却装置。
【請求項１３】
請求項１乃至請求項１２のいずれかに記載の服内環境冷却装置であって、
服内環境冷却装置の筐体は、前記空気取込口の部分において人体から離れる方向に突出するように形成されており、該突出している部分の高さが、空気取込口から空気排出口に向かって徐々に低くなっており、かつ、該突出している部分の幅が、空気取込口から空気排出口にに向かって徐々に狭くなっていることを特徴とする服内環境冷却装置。
【請求項１４】
請求項１乃至請求項１３のいずれかに記載の服内環境冷却装置であって、
服内環境冷却装置の筐体の人体側の面に、服内環境冷却装置を衣服のベルトに引っ掛けるための、下方に向けて開口を有するフック状の第１のベルト装着用部材を備えることを特徴とする服内環境冷却装置。
【請求項１５】
請求項１乃至請求項１４のいずれかに記載の服内環境冷却装置であって、
服内環境冷却装置の筐体の側面に、ベルトを通すための環状の第２のベルト装着用部材を備えることを特徴とする服内環境冷却装置。
【請求項１６】
請求項１乃至請求項１５のいずれかに記載の服内環境冷却装置であって、
服内環境冷却装置の筐体の衣服側の面に、下方から衣服を受け止めるための、上方に向かって開口を有するフック状の衣服保持用部材を備えることを特徴とする服内環境冷却装置。
【請求項１７】
請求項１乃至請求項１６のいずれかに記載の服内環境冷却装置であって、
通信端末と通信するための通信手段と、
前記通信手段により入力された制御信号に基づき、前記気流発生手段及び／又は前記霧発生手段の動作を制御する制御手段とを更に備えることを特徴とする服内環境冷却装置。
【請求項１８】
請求項１乃至請求項１７のいずれかに記載の服内環境冷却装置であって、
前記液体貯蔵部に貯蔵された液体が、香水又は薬剤を含むことを特徴とする服内環境冷却装置。
【請求項１９】
気流発生手段により、衣服の外部に配置された空気取込口から外部の空気を取り込み、衣服と該衣服を装着した人体の間の衣服内空間に配置された空気排出口から該衣服内空間に空気を排出して、前記空気取込口から前記空気排出口に向かう空気流を生成する気流発生ステップと、
霧発生手段により、液体貯蔵部に貯蔵された液体を使って霧を発生させ、前記空気流に霧を供給する霧発生ステップと、
前記衣服内空間で霧を気化させることにより、その気化熱で前記衣服内空間の温度を冷却する冷却ステップとを備え、
前記霧発生手段の霧発生面の垂線の方向が、前記空気排出口から排出された空気流の方向に対して衣服側に傾斜していることを特徴とする服内環境冷却方法。
【請求項２０】
請求項１９に記載の服内環境冷却装置であって、
前記液体貯蔵部に貯蔵された液体が消臭剤、芳香剤又は香水を含むことを特徴とする服内環境冷却方法。